(57)【要約】【課題】複数個の電源用コンタクトと信号用コンタクトを細ピッチで並列して配置し、電源用コンタクトと信号用コンタクトの位置とピッチを自由に設定することができ、基板やプリント配線板またはフラットケーブル等を挿入して簡単かつ確実に接続できる。【解決手段】細長いハウジングと、該ハウジング内に細ピッチで混在して配列された複数個の電源用コンタクトと信号用コンタクトとを有し、中央部に電源用コンタクトのスロットを設け、側壁側に信号用コンタクトのスロットを設けて、前記電源用コンタクトと信号用コンタクトの位置とピッチを自由に設定できる。【選択図】        図２
2004185871.tif 000002
【特許請求の範囲】
【請求項１】
細長いハウジングと、該ハウジング内に細ピッチで混在して配列された複数個の電源用コンタクトと信号用コンタクトとを有し、中央部に電源用コンタクトのスロットを設け、側壁側に信号用コンタクトのスロットを設けて、前記電源用コンタクトと信号用コンタクトの位置とピッチを自由に設定できることを特徴とするコネクタ。
【請求項２】
前記ハウジングは中央部に壁を有することを特徴とする請求項１記載のコネクタ。
【請求項３】
前記ハウジングの中央部の壁の両側に前記電源用コンタクトのスロットが形成され、両側の側壁側に前記信号用コンタクトのスロットが形成されていることを特徴とする請求項１または２記載のコネクタ。
【請求項４】
前記スロットは、断面形状がほぼコの字形をなしていて、中央連結部に電源用コンタクトが装着され、両脚部の端部に信号用コンタクトが装着されることを特徴とする請求項３記載のコネクタ。
【発明の詳細な説明】
【０００１】
【発明の属する技術分野】
本発明は、電子機器のための接続用コネクタに係わるものであり、特に、細ピッチの回路基板やプリント配線板（ＦＰＣ、ｆｌｅｘｉｂｌｅ  ｐｒｉｎｔｅｄ  ｃｉｒｃｕｉｔ）またはフラットケーブル（ＦＦＣ、ｆｌｅｘｉｂｌｅ  ｆｌａｔ  ｃａｂｌｅ）等の接続用コネクタに関するものである。
【０００２】
【従来の技術】
近年、電子機器等において、回路基板やプリント配線板（ＦＰＣ）またはフラットケーブル（ＦＦＣ）等のエッヂボードタイプの接続用コネクタは、電源用コンタクトと信号用コンタクトとが混在して配列されている。これら電源用コンタクトと信号用コンタクトは、回路基板やプリント配線板（ＦＰＣ）またはフラットケーブル（ＦＦＣ）等の挿入方向に対して奥側に整列して配置されており、エッヂボードタイプの回路基板やプリント配線板（ＦＰＣ）またはフラットケーブル（ＦＦＣ）の接触パッド部と対向する側の先端部分を円形状または山形に突出させることによって、接触パッド部と接触させている。
【０００３】
このような回路基板接続用コネクタやプリント配線板（ＦＰＣ）接続用コネクタまたはフラットケーブル（ＦＦＣ）接続用コネクタにおいて、回路基板やプリント配線板またはフラットケーブル等を挿入して接続するには、回路基板や、プリント配線板（ＦＰＣ）またはフラットケーブル（ＦＦＣ）等の導体部分を先端部分としてコネクタの挿入口から内部にまで挿入して、コンタクトと接続するようにしている（例えば、特許文献１参照。）。
【０００４】
【特許文献１】
特開平１０−３３５０１９号公報（第３〜４頁、図１〜５）
【０００５】
【発明が解決しようとする課題】
しかしながら、このような従来のコネクタにおいては、回路基板やプリント配線板（ＦＰＣ）またはフラットケーブル（ＦＦＣ）等を挿入した後に、正確に回路基板やプリント配線板またはフラットケーブルを固定することが厄介で、困難である等の問題が見られる。
【０００６】
また、従来のコネクタは、電源用コンタクトと信号用コンタクトのピッチが異なった場合に、ユニット毎に分けて一旦配置してしまうと、製作のための金型の駒部材の組み換え等と言ったように金型費用と作業工数が増えてしまうと言った問題がある。さらに、このような従来のコネクタにおいて、小さい方のピッチ、例えば信号用コンタクトのピッチに全て統一した場合に、電源部の沿面距離の問題や、電流容量等の問題によってコネクタの外形寸法が大きくなってしまう等の問題も見られる。
【０００７】
従って、本発明の目的は、このような従来における問題点を解決するために、複数個の電源用コンタクトと信号用コンタクトを細ピッチで並列して配置し、電源用コンタクトと信号用コンタクトの位置とピッチを自由に設定できるようにしたコネクタを提供することにある。
【０００８】
【課題を解決するための手段】
上述した目的を達成するために、本発明のコネクタは、細長いハウジングと、該ハウジング内に細ピッチで混在して配列された複数個の電源用コンタクトと信号用コンタクトとを有し、中央部に電源用コンタクトのスロットを設け、側壁側に信号用コンタクトのスロットを設けて、前記電源用コンタクトと信号用コンタクトの位置とピッチを自由に設定できることを特徴とする。
【０００９】
また、本発明のコネクタは、前記ハウジングが中央部に壁を有することを特徴とする。
【００１０】
さらに、本発明のコネクタは、前記ハウジングの中央部の壁の両側に前記電源用コンタクトのスロットが形成され、両側の側壁側に前記信号用コンタクトのスロットが形成されていることを特徴とする。
【００１１】
さらにまた、本発明のコネクタは、前記スロットが、断面形状がほぼコの字形をなしていて、中央連結部に電源用コンタクトが装着され、両脚部の端部に信号用コンタクトが装着されることを特徴とする。
【００１２】
本発明のその他の目的や特徴および利点は、添付図面に示される本発明の実施形態についての以下の詳細な説明から明らかになろう。
【００１３】
【発明の実施の形態】
（実施例）
図１乃至図３は、本発明のコネクタの一実施例を示す図で、図１は、本発明のコネクタを示す全体の斜視図で、図２は、図１の本発明のコネクタの端子部を示す拡大部分斜視図、図３は、図２の本発明のコネクタのスロット部分を、コンタクトを取り外して示す拡大部分斜視図である。
【００１４】
図１乃至図３に示されるように、本発明のコネクタ１は、細長いほぼ矩形状または長方形状のハウジング２と、このハウジング２内に配列された複数個の電源用コンタクト３と信号用コンタクト４とを有している。
【００１５】
本発明のコネクタ１において、ハウジング２は、上面側のほぼ中央部分に沿って、例えば回路基板やプリント配線板またはフラットケーブル等を挿入するための挿入口５が設けられている。さらに、ハウジング２の下面側のほぼ中央部には、長手方向に延びる仕切壁６が設けられていて、この仕切壁６の両側に断面形状がほぼコの字形の複数個のスロット７が等間隔で整列して形成されている。このような断面形状がほぼコの字形のスロット７は、コネクタ本体を形成しているハウジング２の内部において挿入口５と連通されている。また、スロット７は、中央連結部８と、この中央連結部８の両端部からほぼ直角に延びる２つの脚部９とを有する断面ほぼコの字形を成しており、それぞれの脚部９が外方に向って延びるように中央連結部８が仕切壁６側に沿って隣接するように整列して配置されている。
【００１６】
このような本発明のコネクタ１において、断面形状がほぼコの字形のスロット７の中央連結部８が電源用コンタクト３のための内側に位置されたスロット部分であり、外方に向って延びる２つの脚部９、９の端部９ａ、９ｂが信号用コンタクト４のための外側に位置されるスロット部分である。従って、このようなスロット７の中央連結部８に電源用コンタクト３が差し込まれて装着されて、２つの脚部９、９の端部９ａ、９ｂに信号用コンタクト４が差し込まれて装着されるように形成されている。また、これら電源用コンタクト３と信号用コンタクト４は、ハウジング２の内部にまで延びている。
【００１７】
なお、本実施例においては、本発明のコネクタ１には、例えば回路基板やプリント配線板あるいはまたフラットケーブル等を使用できるように適用されており、特に、細ピッチの回路基板やプリント配線板またはフラットケーブル等に適しているが、本発明は何等このような回路基板やプリント配線板またはフラットケーブルだけの使用にのみ制限されるものではなく、回路基板やプリント配線板またはフラットケーブルの外にも、他の同様な接続すべきカードやボード、電線あるいは導体等にも良好に適用できることは勿論である。
【００１８】
図示されるように、本発明のコネクタ１は、中空の細長い箱形のハウジング２と、このハウジング２内に整列して配置された複数個の電源用コンタクト３と信号用コンタクト４とを有しており、例えば、挿入された回路基板やプリント配線板またはフラットケーブル等の端部の接触パッド部と電気的に接続されるように構成されている。
【００１９】
このような本発明のコネクタ１において、ハウジング２は、適宜な合成樹脂材料などの電気的に絶縁性の材料によって成形して作られている。さらに、このようなハウジング２内に、良好な導電性の金属薄板材料から打抜きやプレス加工等によって作られた複数個の電源用コンタクト３と信号用コンタクト４とが組み込まれて、回路基板やプリント配線板またはフラットケーブル等が差し込まれることによって接続されるように作られている。
【００２０】
また、このような電気的に絶縁性の材料から作られた中空で、細長い箱形のハウジング２は、下面側の左右に突出部１１、１１を残して窪み部１２が設けられている。さらに、このハウジング２の上側の挿入口５に沿って電源用コンタクト３と信号用コンタクト４の接触部がハウジング２の側壁１０に沿って設けられていて、回路基板やプリント配線板またはフラットケーブル等をスムーズに導入したり、あるいは取り出しできると共に、これら回路基板やプリント配線板またはフラットケーブルの接触パッド部としっかりと接触して電気的に接続することができるように形成されている。また、ハウジング２の下方両側の突出部１１、１１は、本発明のコネクタ１が装着される電子機器に好適に係合して取り付けられて、電源用コンタクト３と信号用コンタクト４とが電子機器の対応する端子孔にしっかりと嵌め込まれるように形成されている。
【００２１】
図２に明示されるように、電源用コンタクト３は、導電性の良好な金属薄板材料から先端の端子部１５が細長く、中程の挿入部１４がやや幅広い条片状の形に打抜きやプレス加工によって作られて、下方に向って突出する端子部１５を先端に有するように段階状に屈曲されている。さらに、この電源用コンタクト３は、弾性変形可能な先端の端子部１５がコネクタ１の側壁１０側、すなわち外側に位置するように折り曲げられており、挿入部１４がスロット７の中央連結部８に差し込まれて取り付けられている。また、スロット７の中央連結部８は、電源用コンタクト３の２倍の厚さの寸法をなしており、２枚の電源用コンタクト３を重ね合せた状態でスロット７の中央連結部８に差し込んで、図示されるようにこれら２枚の電源用コンタクト３を段階状に折り曲げて、端子部１５において互いに重ね合せて十分な強度を有するように一体的に形成されている。
【００２２】
すなわち、これら２枚の電源用コンタクト３は、外側となる電源用コンタクト３Ａと内側となる電源用コンタクト３Ｂとが２枚重ね合せられて、挿入部１４ａ、１４ｂがスロット７の中央連結部８に一緒に重ね合せた状態で差し込まれて取り付けられている。従って、この場合に、挿入部１４ａが外側に位置されて、挿入部１４ｂが内側に位置されている。そして、これら挿入部１４ａ、１４ｂから、先ず、外側の電源用コンタクト３Ａの折曲部１６ａがほぼ９０°外方に向って水平方向に折り曲げられて折曲部１６ａが設けられ、この折曲部１６ａから、さらにほぼ９０°下方に向って折り曲げられて端子部１５ａが設けられている。
【００２３】
他方、内側の電源用コンタクト３Ｂは、挿入部１４ｂが僅かに下方に真っ直ぐに延び、そして外方にほぼ９０°折り曲げられて折曲部１６ｂが設けられ、この折曲部１６ｂから、さらにほぼ９０°下方に向って折り曲げられて端子部１５ｂが形成され、電源用コンタクト３Ａの端子部１５ａと重ね合せられる。
【００２４】
従って、図示されるように、２枚の電源用コンタクト３Ａ、３Ｂは挿入部１４ａ、１４ｂにおいて重なった状態でスロット７の中央連結部８に挿入されて固着され、折曲部１６ａ、１６ｂにおいては互いに間隔を置いて離れるように位置されており、端子部１５ａ、１５ｂにおいて再び一緒になって重なった状態に一体に形成されている。必要に応じては、これら電源用コンタクト３Ａ、３Ｂの端子部１５ａ、１５ｂは半田付けや接着剤等によって接合するのが好適である。
【００２５】
このように、２つの電源用コンタクト３Ａ、３Ｂは、挿入部１４ａ、１４ｂにおいて互いに重ね合わせて一緒にスロット７の中央連結部８に挿入されて取り付けられ、折曲部１６ａ、１６ｂにおいて互いにほぼ平行な離れた状態に配置され、次いで、端子部１５ａ、１５ｂにおいて再度重なった状態に一体的に結合されている。従って、このように２つの電源用コンタクト３Ａ、３Ｂが一体的に形成されることによって、剛体として強化されて強度と剛度とが高められるようになる。
【００２６】
また、信号用コンタクト４は、全体が電源用コンタクト３の端子部１５とほぼ同じ幅で、かつ導電性の良好な同一の金属薄板材料から打抜きやプレス加工によって作られた挿入部１７と、この挿入部１７からほぼ同じ幅で先端の方に向って突出するように延びる端子部１８とを有しており、挿入部１７と先端の端子部１８とが図示されるように段階状に折り曲げられている。
【００２７】
このような信号用コンタクト４は、挿入部１７がスロット７の脚部９の端部に差し込まれて取り付けられており、隣接の信号用コンタクト４と相互に内側と外側とにおいて下方に向って突出するように図示のずれた形状に折り曲げられた形状に形成されている。従って、これら信号用コンタクト４Ａ、４Ｂは、スロット７の２つの脚部９の端部９ａ、９ｂにそれぞれ挿入部１７ａ、１７ｂが差し込まれて取り付けられており、これら挿入部１７ａ、１７ｂから外側の信号用コンタクト４Ａは、外方に向ってほぼ９０°折り曲げられ、内側の信号用コンタクト４Ｂは内側に向ってほぼ９０°折り曲げられている。
【００２８】
次いで、外側の信号用コンタクト４Ａは、短い折曲部１９ａを介して下方に向ってほぼ９０°折り曲げられて端子部１８ａが設けられている。他方、内側の信号用コンタクト４Ｂは、折曲部１９ｂをやや長く形成して、そして下方に向ってほぼ９０°折り曲げられて端子部１８ｂが設けられるように形成されている。
【００２９】
このように形成された信号用コンタクト４Ａ、４Ｂは、スロット７の２つの脚部９、９の間のピッチｐをもって図２に示されるように配列されている。従って、これら信号用コンタクト４Ａ、４Ｂはピッチｐで配置されており、このピッチｐは、電源用コンタクト３のピッチＰの１／２のピッチをなしている。これによって、電源用コンタクト３と信号用コンタクト４とは、それぞれ所要する異なったピッチＰとピッチｐとによって配列されており、所定の電源用コンタクト３と信号用コンタクト４との配列を得ることができる。
【００３０】
また、これら電源用コンタクト３と信号用コンタクト４は、ハウジング２内の挿入口５側の端部が、基板やプリント配線板またはフラットケーブル等の接触パッド部と良好に接触して接続ができるように、例えば円弧状に弾性変形可能に形成されるのが好適である。さらに、これら電源用コンタクト３と信号用コンタクト４は、それぞれ挿入部１４ａ、１４ｂ、１７ａ、１７ｂにおいてハウジング２に対してしっかりと固着されて取付けられており、端子部１５ａ、１５ｂと端子部１８ａ、１８ｂがそれぞれ下方に向って突出するように配置されている。
【００３１】
従って、このような電源用コンタクト３と信号用コンタクト４の取付けに際しては、ハウジング２の成形時に、例えばインサート成形によって一緒に成形されて取付けられるように製作されるのが好適である。
【００３２】
上述したように構成された本発明のコネクタ１によれば、ハウジング２と、このハウジング２に組み込まれた電源用コンタクト３と信号コンタクト４とによって中空の細長い箱形のコネクタ１が形成され、このハウジング２内に電源用コンタクト３と信号用コンタクト４とが整列して配設されているので、コネクタ１に挿入された基板やプリント配線板またはフラットケーブルを、挿入口５からハウジング３内に良好に導入して、しっかりと接続することができるので、所要の電源用コンタクト３と信号用コンタクト４とに良好に接続することができる。
【００３３】
さらにまた、このような本発明のコネクタ１においては、複数個の電源用コンタクト３と信号用コンタクト４とを細ピッチで並列して配置して、電源用コンタクト３と信号用コンタクト４の位置とピッチを自由に設定できる。
【００３４】
特に、本発明のコネクタ１においては、電源用コンタクト３と信号用コンタクト４を細ピッチで配設してコネクタ全体を細長い小形の中空の箱形の形状に製作することができ、各種基板やプリント配線板またはフラットケーブル等を好適に利用することが可能である。
【００３５】
【発明の効果】
本発明の請求項１記載のコネクタは、細長いハウジングと、該ハウジング内に細ピッチで混在して配列された複数個の電源用コンタクトと信号用コンタクトとを有し、中央部に電源用コンタクトのスロットを設け、側壁側に信号用コンタクトのスロットを設けて、前記電源用コンタクトと信号用コンタクトの位置とピッチを自由に設定できるので、複数個の電源用コンタクトと信号用コンタクトを細ピッチで並列して配置し、電源用コンタクトと信号用コンタクトの位置とピッチを自由に設定することができ、基板やプリント配線板またはフラットケーブル等を挿入して簡単かつ確実に接続できる。
【００３６】
本発明の請求項２記載のコネクタは、前記ハウジングが中央部に壁を有するので、電源用コンタクトと信号用コンタクトを好適に配列することができ、しかもハウジングを細長い小形の中空の箱形の形状に製作することができ、各種基板やプリント配線板またはフラットケーブル等を好適に利用することができる。
【００３７】
本発明の請求項３記載のコネクタは、前記ハウジングの中央部の壁の両側に前記電源用コンタクトのスロットが形成され、両側の側壁側に前記信号用コンタクトのスロットが形成されているので、電源用コンタクトと信号用コンタクトを適切に配置することができる。
【００３８】
本発明の請求項４記載のコネクタは、前記スロットが、断面形状がほぼコの字形をなしていて、中央連結部に電源用コンタクトが装着され、両脚部の端部に信号用コンタクトが装着されるので、電源用コンタクトと信号用コンタクトとをそれぞれ適切に配置して取り付けることができ、かつ位置とピッチとを自由に設定することができる。
【図面の簡単な説明】
【図１】本発明のコネクタを示す全体の斜視図である。
【図２】図１の本発明のコネクタの端子部を示す拡大部分斜視図である。
【図３】図２の本発明のコネクタのスロット部分を、コンタクトを取り外して示す拡大部分斜視図である。
【符号の説明】
１          コネクタ
２          ハウジング
３          電源用コンタクト
３Ａ        電源用コンタクト（外側）
３Ｂ        電源用コンタクト（内側）
４          信号用コンタクト
４Ａ        信号用コンタクト（外側）
４Ｂ        信号用コンタクト（内側）
５          挿入口
６          仕切壁
７          スロット
８          中央連結部
９          脚部
９ａ        端部
９ｂ        端部
１０        側壁
１１        突出部
１２        窪み部
１４ａ      挿入部
１４ｂ      挿入部
１５ａ      端子部
１５ｂ      端子部
１６ａ      折曲部
１６ｂ      折曲部
１７ａ      挿入部
１７ｂ      挿入部
１８ａ      端子部
１８ｂ      端子部
１９ａ      折曲部
１９ｂ      折曲部
【図１】
2004185871.tif 000003
【図２】
2004185871.tif 000004
【図３】
2004185871.tif 000005